(57)【要約】【課題】  係止ランスの幅寸法を大きくすることなく十分な端子保持力を得ると共にその強度を高め、小型化を図ったコネクタを提供する。【解決手段】  端子１２と、当該端子１２が挿入される端子収容室１１ａ及び当該端子収容室１１ａに収容された前記端子１２の抜脱を規制するように前記端子１２の被係止部１８を係止する弾性係止片１３が設けられたコネクタハウジング１１と、を備えるコネクタ１０であって、前記弾性係止片１３が、前記端子１２の抜脱方向と直交する方向に互いに間隔をおいて立設された一対のリブ３９と、当該一対のリブ３９の間に架設されて前記端子１２の被係止部１８に抜脱方向に当接される係止部２６と、を有し、前記一対のリブ３９の前記被係止部１８側の端縁４０が、前記係止部２６よりも前記被係止部１８側に突出している。【選択図】        図１
2006185799.tif 000002
【特許請求の範囲】
【請求項１】
端子と、当該端子が挿入される端子収容室及び当該端子収容室に収容された前記端子の抜脱を規制するように前記端子の被係止部を係止する弾性係止片が設けられたコネクタハウジングと、を備えるコネクタであって、
前記弾性係止片が、前記端子の抜脱方向と直交する方向に互いに間隔をおいて立設された一対のリブと、当該一対のリブの間に架設されて前記端子の被係止部に抜脱方向に当接される係止部と、を有し、
前記一対のリブの前記被係止部側の端縁が、前記係止部よりも前記被係止部側に突出していることを特徴とするコネクタ。
【請求項２】
前記一対のリブが、前記端子の抜脱方向に延設されていることを特徴とする請求項１に記載のコネクタ。
【請求項３】
前記弾性係止片と前記端子との係止状態が解除されるように前記弾性係止片を弾性変形させる治具が、前記一対のリブの間で前記弾性係止片と係合し、
前記一対のリブの前記端縁が、当該一対のリブの間に前記治具を案内するガイド部とされていることを特徴とする請求項１または請求項２に記載のコネクタ。
【発明の詳細な説明】
【技術分野】
【０００１】
本発明は、コネクタハウジングの端子収容室に収容された端子を係止する弾性係止片を備えたコネクタに関する。
【背景技術】
【０００２】
従来、この種のコネクタとしては、例えば図４及び図５，６に示すものが知られている（例えば特許文献１及び特許文献２参照。）。
【０００３】
図４に示されるコネクタ１０１は、合成樹脂製のコネクタハウジング１０２の中央より後側にかけて端子収容室１０３が形成されている。この端子収容室１０３内にはコネクタハウジング１０２の上壁部１０２ａから斜め前方に伸びる弾性係止片１０５が片持ち梁状に突設されている。
【０００４】
そして、電線１０７を接続された端子１０８を端子収容室１０３の後側の端子挿入用開口１０４から端子収容室１０３内に挿入して収容すると、弾性係止片１０５の自由端（係止部）１０６で端子１０８の被係止部１０９を係止し、端子１０８の抜脱を防止するようになっている。
【０００５】
また、図５，６に示されるコネクタ２０１は、合成樹脂製のコネクタハウジング２０２に、導電性金属板をプレス加工してなる端子２０３を後側開口から挿入される端子収容室２０２ａと、この端子収容室２０２ａ内に収容された端子２０３を係止して端子２０３の抜脱を規制する弾性係止片２０４とを備えている。
【０００６】
端子２０３は、相手側の端子（図示せず）が挿入されて電気的に接続される矩形筒状の電気接触部２０５と、電気接触部２０５の後端側に配置され不図示の電線と電気的に接続される電線接続部２０６と、を有しており、電気接触部２０５の前端部上面には凸部２０７ａが設けられている。
【０００７】
弾性係止片２０４の前端面には、端子収容室２０２ａ内に収容された端子２０３の凸部２０７の後端が当接する垂直な係止部２０７ｂと、前記弾性係止片と前記端子との係止状態を解除するための治具が当接する治具受け部２０９ｂと、が互いに弾性係止片２０４の幅方向に隣接して設けられている。
【０００８】
後側開口から端子２０３を端子収容室２０２ａに挿入すると、端子２０３の凸部２０７ａによって弾性係止片２０４の前端部が上方に変位するように弾性係止片２０４を弾性変形させながら、端子２０３は端子収容室２０２ａ内に進入し、その後、端子２０３の前端が端子収容室２０２ａの前壁に当接すると、端子２０３の凸部２０７ａが弾性係止片２０４を乗り越え、弾性係止片２０４が元の位置に復帰する。これにより、弾性係止片２０４の係止部２０７ｂが端子２０３の凸部２０７ａの後端を係止し、端子２０３の後方への抜脱が規制される。弾性係止片２０４と端子２０３との係止状態を解除するに際しては、前方から治具２０９ａを端子収容室２０２ａに挿入し、治具２０９ａを傾斜した治具受け部２０９ｂに当接させることにより、弾性係止片２０４はその前端部が上方に変位するように弾性変形され、これにより弾性係止片２０４による端子２０３の係止が解除される。
【特許文献１】特開昭６１−２１８０８１号公報
【特許文献２】特開２００２−３１３４７２号公報
【発明の開示】
【発明が解決しようとする課題】
【０００９】
しかしながら、上述した従来のコネクタ１０１及び２０１において、合成樹脂製の弾性係止片１０５および２０４の係止部１０６及び２０７ｂに金属製の端子１０３および２０３の凸部２０７ａが当接することから、係止部１０６及び２０７ｂに摩耗が生じて弾性係止片１０５および２０４による端子１０３および２０３の保持力の低下が懸念される。
【００１０】
さらに、近年のコネクタの小型化の要請に応えるべく端子配列の狭ピッチ化を進めると、弾性係止片１０５および２０４が幅狭となって弾性係止片１０５および２０４の強度が低下する虞があり、例えば従来のコネクタ１０１において図７に示されるように弾性係止片１０５が座屈しやすく、弾性係止片１０５および２０４による端子１０３および２０３の保持力の低下が懸念される。
【００１１】
このため、従来のコネクタ２０１においては、弾性係止片２０４による端子２０３の保持力を向上させるべく、図６に示されるように弾性係止片２０４の両側面に幅方向外側に突出する一対の突出部２０８ｂを形成し、この一対の突出部２０８ｂにより電気接触部２０５の後端に設けられた係合部２０８ａを係止し、端子２０３の後方への抜脱を二重に規制するようにしている。しかしながら、突出部２０８ｂを形成することは弾性係止片２０４の幅寸法を大きくすることとなり、コネクタ２０１の小型化を阻害する虞があった。
【００１２】
また、コネクタの小型化に伴い、弾性係止片２０４と端子２０３との係止状態を解除するための治具２０９ａも幅狭となり、弾性係止片２０４の前端面に設けられた平面状の治具受け部２０９ｂと治具２０９ａとの係合（当接）が不確実なものとなる虞があった。
【００１３】
本発明は、上述した課題を解決するためになされたものであり、その目的は、係止ランスの幅寸法を大きくすることなく十分な端子保持力を得ると共にその強度を高め、小型化を図ったコネクタを提供することにある。
【課題を解決するための手段】
【００１４】
上述した目的を達成するために、本発明に係るコネクタは、端子と、当該端子が挿入される端子収容室及び当該端子収容室に収容された前記端子の抜脱を規制するように前記端子の被係止部を係止する弾性係止片が設けられたコネクタハウジングと、を備えるコネクタであって、前記弾性係止片が、前記端子の抜脱方向と直交する方向に互いに間隔をおいて立設された一対のリブと、当該一対のリブの間に架設されて前記端子の被係止部に抜脱方向に当接される係止部と、を有し、前記一対のリブの前記被係止部側の端縁が、前記係止部よりも前記被係止部側に突出していることを特徴としている。
そして、好ましくは前記一対のリブが前記端子の抜脱方向に延設されている。
さらに、好ましくは前記弾性係止片と前記端子との係止状態が解除されるように前記弾性係止片を弾性変形させる治具が、前記一対のリブの間で前記弾性係止片と係合し、前記一対のリブの前記端縁が、当該一対のリブの間に前記治具を案内するガイド部とされている。
【発明の効果】
【００１５】
本発明によれば、弾性係止片が、端子の抜脱方向と直交する方向に互いに間隔をおいて立設された一対のリブと、この一対のリブの間に架設されて端子の被係止部に抜脱方向に当接される係止部と、を有し、一対のリブの被係止部側の端縁が、係止部よりも被係止部側に突出している。即ち、端子の被係止部を受ける部分が、係止部と当該係止部と一体に形成された一対のリブとにより略コ字形状とされている。これにより係止部の剪断強度を向上させることができ、よって、端子の被係止部との当接による係止部の磨耗を抑制して弾性係止片による十分な端子保持力を得ることができる。
そして、一対のリブは端子の抜脱方向と直交する方向に互いに間隔をおいて弾性係止片に立設されている。即ち、この一対のリブは弾性係止片の幅方向に突出せず、これにより弾性係止片の幅寸法を縮小してコネクタの小型化を図ることができる。
このような簡易的構造の弾性係止片により、十分な端子保持力を得る事ができると共にコネクタの小型化を図ることができる。
さらに、一対のリブが端子の抜脱方向に延設されることにより、幅狭な弾性係止片においても座屈強度を確保することができ、これにより、弾性係止片による端子保持力をより向上させることができる。
さらに、弾性係止片と端子との係止状態が解除されるように弾性係止片を弾性変形させる治具が、一対のリブの間で弾性係止片と係合し、一対のリブの端縁が、当該一対のリブの間に治具を案内するガイド部とされることにより、治具が係合する弾性係止片の部分が一対のリブと係止部とにより略コ字形とされ且つ当該部分を構成する一対のリブにより治具が案内されるので、治具と弾性係止片との係合が確実になされる。
【発明を実施するための最良の形態】
【００１６】
以下、本発明に係るコネクタの好適な実施形態を図を参照して説明する。
図１は本発明の一実施形態であるコネクタを説明するための断面図、図２は図１に示すコネクタの弾性係止片を説明するための図であり、コネクタハウジングの一部を破断した斜視図、図３は図２に示す弾性係止片を端子の抜脱方向に沿って破断した状態を示す斜視図である。
【００１７】
本発明の一実施形態であるコネクタ１０は、図１に示すように、導電性金属板をプレス加工してなる端子１２を後方の開口から挿入される端子収容室１１ａが設けられた合成樹脂製のコネクタハウジング１１を備えており、コネクタハウジング１１には、端子収容室１１ａ内に収容された端子１２を係止する弾性係止片である係止ランス１３が一体に形成されている。
【００１８】
コネクタハウジング１１の端子収容室１１ａ内に収容される端子１２は、その前端側に矩形筒状の電気接触部１６が配置され、その後端側に電線圧接部１７が設けられている。電気接触部１６には、内部に相手側の端子が挿入されて電気的に接続されるバネ片１５が配置され、また、係止ランス１３によって係止される被係止部である突片１８が、上壁の前端部の幅方向中央部から後方に向けて斜め上方に傾斜するように延設されている。
【００１９】
電線圧接部１７は、電気接触部１６から水平に延設された基板部１９と、基板部１９の幅方向の両側で折り曲げにより垂直に立ち上げられた一対の側壁２０と、基板部１９の上面に配置され、被覆電線（図示せず）の絶縁被覆を切裂する刃部２１を有して当該被覆電線の内部の導体と電気的に接触する電線圧接用のスロット２２が設けられた圧接片２３とを備えている。
【００２０】
そして、端子１２の上方から圧接片２３のスロット２２に被覆電線が圧入されると、被覆電線の絶縁被覆がスロット２２の刃部２１により切裂されて被覆電線の内部の導体が圧接片２３に接触する。これにより、被覆電線の内部の導体と端子１２とが導通されると共に被覆電線が圧接片２３により保持される。この状態で端子１２は後方（図１における右側）の開口から端子収容室１１ａ内に挿入され、また抜脱される。
【００２１】
係止ランス１３は、端子収容室１１ａを画成しているコネクタハウジング１１の上壁の前端部に一体に形成されており、図２及び図３に示すように、コネクタハウジング１１の上壁の前端部に略コ字形の切込み２４を設けることで、片持ち梁状に後端がコネクタハウジング１１に支持されて前方に伸び、その前端部が上下方向に変位するように弾性変形可能とされている。
【００２２】
図１及び図２に示すように、端子収容室１１ａに収容された端子１２に相対する係止ランス１３の下面の両側縁には、端子１２に向けて突出する一対のリブ３９が係止ランス１３の前端から後端にわたって形成されており、即ち、一対のリブ３９は、端子１２の抜脱方向と直交する方向に互いに間隔をおいて立設され、さらに端子１２の抜脱方向に延設されている。
【００２３】
図１及び図３に示すように、係止ランス１３の下面の前端部には、一対のリブ３９を互いに連結するように係止部２６が一体形成されており、即ち、係止部２６は、一対のリブ３９の間に架設されている。端子収容室１１ａ内に収容された端子１２が抜脱方向に移動された際に、端子１２の突片１８が係止部２６に当接し、端子１２の抜脱が規制される。
【００２４】
そして、一対のリブ３９の前端縁４０は係止部２６よりも前方に突出しており、即ち、端子１２の突片１８を受ける係止ランス１３の部分は全体として略コ字形状とされている。また、係止部２６の後端面は、前方に向けて斜め下方に傾斜する傾斜面２５とされている。
【００２５】
次に、コネクタハウジング１１の係止ランス１３による端子１２の係止について説明する。
【００２６】
上述のように被覆電線が圧接された端子１２を端子収容室１１ａの後方の開口から端子収容室１１ａ内に挿入する。端子１２の挿入に伴い、端子１２の電気接触部１６に設けられた突片１８が、一対のリブ３９の間を当該一対のリブ３９に案内されながら進み、係止ランス１３の係止部２６の後端に設けられた傾斜面２５に当接し、係止ランス１３の前端部を上方に変位させるように係止ランス１３を弾性変形させながら係止ランス１３の傾斜面２５を前方に向けて摺動する。そして、電気接触部１６の前端が端子収容室１１ａの前壁に当接する位置まで端子１２が挿入されると、係止ランス１３が弾性変形から復帰して、係止ランス１３の係止部２６が突片１８の後端に係合する。端子収容室１１ａ内に収容された端子１２が後方に抜脱されるように移動した際には、端子１２の突片１８の後端が係止部２６に当接し、これにより、端子１２は後方への抜脱が規制される。
【００２７】
係止ランス１３の係止部２６と端子１２の突片１８との係止状態を解除するに際しては、端子収容室１１ａの前方の開口から、端子収容室１１ａを画成しているコネクタハウジング１１の上壁と端子１２の電気接触部１６の上壁との隙間に治具が挿入される。治具の先端が、係止ランス１３の一対のリブ３９の前端縁４０に案内されながらこの一対のリブ３９の前端縁４０の間に挿入されて係止ランス１３に係合し、係止ランス１３の前端部が上方に変位するように係止ランス１３を弾性変形させる。これにより、係止ランス１３の係止部２６による端子１２の突片１８の係止が解除される。治具が係合する係止ランス１３の部分が一対のリブ３９と係止部２６とにより略コ字形とされ且つ当該部分を構成する一対のリブ３９により治具が案内されるので、治具と係止ランス１３との係合が確実になされる。
【００２８】
本実施形態のコネクタ１０によれば、係止ランス１３が、端子の抜脱方向と直交する方向に互いに間隔をおいて立設された一対のリブ３９と、この一対のリブ３９の間に架設されて端子１２の突片１８に抜脱方向に当接される係止部２６と、を有し、一対のリブ３９の前端縁４０が、係止部２６よりも前方に突出している。即ち、端子１２の突片１８を受ける部分が、係止部２６と当該係止部２６と一体に形成された一対のリブ３９とにより略コ字形状とされている。これにより係止部２６の剪断強度を向上させることができ、よって、端子１２の突片１８との当接による係止部２６の磨耗を抑制して係止ランス１３による十分な端子保持力を得ることができる。
そして、一対のリブ３９は端子１２の抜脱方向と直交する方向に互いに間隔をおいて係止ランス１３に立設されている。即ち、この一対のリブ３９は係止ランス１３の幅方向に突出せず、これにより係止ランス１３の幅寸法を縮小してコネクタ１０の小型化を図ることができる。
このような簡易的構造の係止ランス１３により、十分な端子保持力を得る事ができると共にコネクタ１０の小型化を図ることができる。
さらに、一対のリブ３９を端子１２の抜脱方向に延設することにより、幅狭な係止ランス１３においても座屈強度を確保することができ、これにより、係止ランス１３による端子保持力をより向上させることができる。
さらに、係止ランス１３と端子１２との係止状態が解除されるように係止ランス１３を弾性変形させる治具が、一対のリブ３９の間で係止ランス１３と係合し、一対のリブ３９の前端縁４０が、一対のリブ３９の間に治具を案内するガイド部とされることにより、治具が係合する係止ランス１３の部分が一対のリブ３９と係止部２６とにより略コ字形とされ且つ当該部分を構成する一対のリブ３９により治具が案内されるので、治具と係止ランス１３との係合が確実になされる。
【００２９】
なお、本発明は上記実施の形態に限定されるものではなく、本発明の要旨を逸脱しない範囲において適宜変更可能である。
【図面の簡単な説明】
【００３０】
【図１】本発明の一実施形態であるコネクタを説明するための断面図である。
【図２】図１に示すコネクタの弾性係止片を説明するための図であり、コネクタハウジングの一部を破断した斜視図である。
【図３】図２に示す弾性係止片を端子の抜脱方向に沿って破断した状態を示す斜視図である。
【図４】従来のコネクタの断面図である。
【図５】従来の他のコネクタのコネクタハウジングの一部を破断した斜視図である。
【図６】図５に示すコネクタの弾性係止片と端子とを示す斜視図である。
【図７】図４に示すコネクタの弾性係止片が座屈した状態を示す断面図である。
【符号の説明】
【００３１】
１０    コネクタ
１１    コネクタハウジング
１１ａ  端子収容室
１２    端子
１３    係止ランス（弾性係止片）
１８    突片（被係止部）
２６    係止部
３９    リブ
４０    リブの前端縁（ガイド部）
【図１】
2006185799.tif 000003
【図２】
2006185799.tif 000004
【図３】
2006185799.tif 000005
【図４】
2006185799.tif 000006
【図５】
2006185799.tif 000007
【図６】
2006185799.tif 000008
【図７】
2006185799.tif 000009